(57)【要約】      （修正有）【課題】自動車等の移動体、塀、壁等の構築物、家具や家電製品、食器、鏡あるいはその他の日用雑貨等の外装もしくは内装部分に、所定のモチーフの立体物が形成された凹凸を形成することにより、単なる平面的な装飾ではなく、立体的な装飾を簡単に適用することができるようにした立体（３次元）シールを提供する。【解決手段】自動車等の移動体、塀、壁等の構築物、家具や家電製品、食器、鏡あるいはその他の日用雑貨等の外装もしくは内装部分に、所定のモチーフの立体物からなる凹凸１５を形成した立体シール１１を貼付し、自動車等の移動体、塀、壁等の構築物、家具や家電製品、食器、鏡あるいはその他の日用雑貨等の外装もしくは内装として適宜凹凸を自在に付与できるようにしたことを特徴とする立体（３次元）シール。【選択図】          図１
2004354665.tif 000002
【特許請求の範囲】
【請求項１】
自動車等の移動体、塀、壁等の構築物、家具や家電製品、食器、鏡あるいはその他の日用雑貨等の外装もしくは内装部分に、所定のモチーフの立体物からなる凹凸を形成した立体シールを貼付し、自動車等の移動体、塀、壁等の構築物、家具や家電製品、食器、鏡あるいはその他の日用雑貨等の外装もしくは内装として適宜凹凸を自在に付与できるようにしたことを特徴とする立体（３次元）シール。
【請求項２】
所定のモチーフの立体物が、球技用ボールや弾丸、矢等の飛来物、あるいは鳥獣類、昆虫、その他の立体物であることを特徴とする請求項１に記載の立体（３次元）シール。
【発明の詳細な説明】
【０００１】
【発明の属する技術分野】この発明は、自動車等の移動体、塀、壁等の構築物、家具や家電製品、食器、鏡あるいはその他の日用雑貨等の外装もしくは内装として、適宜凹凸を自在に付与できるようにしたことを特徴とする立体（３次元）シールに関する。
【０００２】
【従来の技術】従来、自動車等の移動体、塀、壁等の構築物、家具や家電製品、食器、鏡あるいはその他の日用雑貨等の外装には、適宜のデザインを塗装したり、シールやステッカ等を貼付することにより、その所有者等が好みの装飾を付与してきた。そのようなデザインの１例として近年、図９に示すような弾丸シールと呼ばれるものが販売されており、例えば自動車等の移動体の適所に貼付することが行なわれている。
【０００３】また従来、いわゆる立体シールとして提案されているものとしては、適所にミシン穴や切込みを入れて立ち上げ可能とした立体シール（実開平１−１２３８７６号公報、特許文献１参照）や、独自にデザインしたレタリング文字およびイラストの形状を、切り抜き加工した専用シートに紫外線照射反応で硬化する透明ＵＶ樹脂でポッティング加工を施し、完成させた立体シートサイン（特開２００２−２８９５５０号公報、特許文献２参照）等がある。
【０００４】
【特許文献１】実開平１−１２３８７６号公報
【特許文献２】特開２００２−２８９５５０号公報
【０００５】
【発明が解決しようとする課題】しかしながら、従来の自動車等の移動体の外装への、塗装による適宜のデザインや、貼付したシールやステッカ等、またそのようなデザインの１例として近年販売されている弾丸シールでは、ある程度の装飾性、特に所有者の好みを充足することはできても、やはり平面的であって、特に走行中に人目を引くことはほとんどなかった。
【０００６】また従来の立体シールとして提案されているものは、例えば適所にミシン穴や切込みを入れて立ち上げ可能とした立体シールにおいては、切断や組立を自分で行なう必要があり、しかもリアルな立体感を出すことは難しいという問題点があった。
【０００７】また、独自にデザインしたレタリング文字およびイラストの形状を、切り抜き加工した専用シートに紫外線照射反応で硬化する透明ＵＶ樹脂でポッティング加工を施し、完成させた立体シートサインにおいては、透明ＵＶ樹脂でポッティング加工したものを複雑な曲面を有することの多い自動車等の移動体の外装等に適用することは極めて困難であった。
【０００８】そこでこの発明は、自動車等の移動体、塀、壁等の構築物、家具や家電製品、食器、鏡あるいはその他の日用雑貨等の外装もしくは内装部分に、例えば所定のモチーフの立体物が形成された凹凸を形成することにより、単なる平面的な装飾ではなく、立体的な装飾を簡単に適用することができるようにした立体（３次元）シールを提供することを目的としている。
【０００９】
【課題を解決するための手段】上記の目的を達成するために、この発明に係る立体（３次元）シールは、自動車等の移動体、塀、壁等の構築物、家具や家電製品、食器、鏡あるいはその他の日用雑貨等の外装もしくは内装部分に、所定のモチーフの立体物からなる凹凸を形成した立体シールを貼付し、自動車等の移動体、塀、壁等の構築物、家具や家電製品、食器、鏡あるいはその他の日用雑貨等の外装もしくは内装として適宜凹凸を自在に付与できるようにしたことを特徴とするものである。
【００１０】この発明に係る立体（３次元）シールは、上記所定のモチーフの立体物が、球技用ボールや弾丸、矢等の飛来物、あるいは鳥獣類、昆虫、その他の立体物であることをも特徴とするものである。
【００１１】この発明によれば、粘着剤のついた立体（３次元）シールを自動車等の移動体、塀、壁等の構築物、家具や家電製品、食器、鏡あるいはその他の日用雑貨等の外装もしくは内装部分に貼り付けるだけで、自動車等の移動体、塀、壁等の構築物、家具や家電製品、食器、鏡あるいはその他の日用雑貨等の外装もしくは内装として、簡単に所定のモチーフの立体物が形成された凹凸を付与することができる。
【００１２】
【発明の実施の形態】以下にこの発明に係る立体（３次元）シールの実施の形態を図面に基づき詳細に説明する。
図１は、この発明の立体（３次元）シールを、野球用ボールをモチーフとし、自動車のリアウインドに適用した状態を示す斜視図、図２はその要部拡大図、図３は立体（３次元）シールの貼り合わせ状態を示す断面図、図４はツバメの巣をモチーフとした場合の説明図、図５はモグラをモチーフとした場合の説明図、図６は細菌・微生物をモチーフとした場合の説明図、図７はキノコをモチーフとした場合の説明図、図８は人間の目をモチーフとした場合の説明図である。
【００１３】図１ないし図３において、立体（３次元）シール１１は、シール部１３と、所定のモチーフの立体物が形成された凹凸部１５とからなるものである。また上記凹凸部１５には、球技用ボール、例えば野球ボール、ゴルフボール、サッカーボールや、弾丸、矢、その他の飛来物そのもの、あるいは同様の形態に形成した内張り１７を施すことも可能である。これは、所定のモチーフの立体物が部分的にはめ込まれた形態に、よりリアルな感じを与えるためである。
【００１４】先ずシール部１３は、その適所に所定のモチーフの立体物が形成された凹凸部１５が設けられている。このシール部１３は、曲面加工の容易なプラスチックフィルムもしくはシート２１と、粘着剤と、剥離紙（いずれも図示せず）とからなる。すなわち、フィルムもしくはシート２１の裏面には粘着剤が塗布されており、粘着剤が所定の箇所に接着されるまでの間、フィルムもしくはシート２１の形状と同形状の剥離紙が接着されて粘着剤を保護している。
【００１５】シール部１３はシート状で裏面に粘着剤が塗布されたものに限定されるものではなく、自動車等の移動体、塀、壁等の構築物、家具や家電製品、食器、鏡あるいはその他の日用雑貨等の外装もしくは内装等に接合する機能のあるものであれば、シート状のゴム磁石やマジックテープ（登録商標）等のような構成のものであっても良い。
【００１６】所定のモチーフの立体物が形成された凹凸部１５は、上記シール部１３の製作時に適宜形成しておくことが望ましい。そのような加工方法としては、真空成形や射出成形等がある。もちろん、立体物そのものや内張りを用いてシール部１３自身を変形させ、所定のモチーフの立体物が形成された凹凸部１５となる曲面を形成してもよい。
【００１７】球技用ボールや弾丸、矢等の所定のモチーフの立体物そのものを利用する場合はともかく、所定のモチーフの立体物と同様の形態に形成した内張り１７としては、予め熱可塑性樹脂やＦＲＰ、薄板状の金属、その他適宜の素材を用いて成形しておくことが望ましい。
【００１８】上記内張り１７としては、球技用ボールや弾丸、矢等の所定のモチーフの立体物そのもの、あるいはそれを模造した全体の形態のみならず、縮小あるいは拡大したもの、また自動車等の移動体、塀、壁等の構築物、家具や家電製品、食器、鏡あるいはその他の日用雑貨等の外装もしくは内装部分から突出する部位等の一部分のみの形態を作製して適用することができる。
【００１９】所定のモチーフの立体物が形成された凹凸部１５の内側には、発光ダイオード、あるいはその他の照明器具を内装し、夜間でも所定のモチーフの立体物が形成された凹凸部１５をより効果的に浮き出させることができる。もちろん、上記内張り１７に照明器具の取付具を設けておき、これに照明器具を装着した上で内張り１７ごと、所定のモチーフの立体物が形成された凹凸部１５の内側に取り付けることもできる。
【００２０】上記した所定のモチーフの立体物が形成された凹凸部１５を構成するデザインは、種々の形状や構造に形作ることが可能であり、この実施例では球技用ボールや弾丸、矢、その他の飛来物としているが、鳥獣類や器物、例えば、はさみやミニカー等の静物を立体シール化したものであってもよい。もちろん、上記装飾を施した自動車等が、各種の法令に抵触しないことも確認する必要がある。
【００２１】図４の実施例では所定のモチーフの立体物としてツバメの巣が、図５の実施例では所定のモチーフの立体物としてモグラが、図６の実施例では所定のモチーフの立体物として細菌・微生物が、図７の実施例では所定のモチーフの立体物としてキノコが、図８の実施例では所定のモチーフの立体物として人間の目が示されている。これらの実施例には自動車の走行による気流や振動の発生により、立体物に動きを与えることも可能である。例えば図８の人間の目の実施例の場合、動きやまばたきのないものとしてもよいが、人間の顔を平面で描き、目は立体にしておくとともにまぶたが閉じたり開いたりするように構成しておく。そして自動車等が走行し、風や振動が発生すると、それに応じてまぶたが閉じたり開いたりして、周囲の人を楽しませるのである。
【００２２】また、所定のモチーフの立体物が形成された凹凸部１５の内側には、例えば図７のように、所定のモチーフの立体物としてキノコ状の成形物を採用するとともに、キノコの素材中に芳香剤、脱臭作用のある光触媒あるいはマイナスイオン発生機構を内蔵させることができる。その目的のために、凹凸部１５に代えて内張り１７のみを用いることもできる。
【００２３】この発明の立体（３次元）シールの適用される対象としては、自動車等の移動体、塀、壁等の構築物、家具や家電製品、食器、鏡あるいはその他の日用雑貨等の外装もしくは内装部分等を挙げることができる。
【００２４】
【発明の効果】以上に説明したように、この発明によれば、粘着剤のついた立体（３次元）シールを自動車等の移動体、塀、壁等の構築物、家具や家電製品、食器、鏡あるいはその他の日用雑貨等の外装もしくは内装部分に貼り付けるだけで、自動車等の移動体、塀、壁等の構築物、家具や家電製品、食器、鏡あるいはその他の日用雑貨等の外装もしくは内装として、簡単に所定のモチーフの立体物が形成された凹凸を形成することができる。したがって従来にない極めて個性的な装飾を自動車等の移動体、塀、壁等の構築物、家具や家電製品、食器、鏡あるいはその他の日用雑貨等の外装もしくは内装部分に形成することができる。
【図面の簡単な説明】
【図１】この発明の立体（３次元）シールを、野球用ボールをモチーフとし、自動車のリアウインドに適用した状態を示す斜視図である。
【図２】その要部拡大図である。
【図３】立体（３次元）シールの貼り合わせ状態を示す断面図である。
【図４】ツバメの巣をモチーフとした場合の説明図である。
【図５】モグラをモチーフとした場合の説明図である。
【図６】細菌・微生物をモチーフとした場合の説明図である。
【図７】キノコをモチーフとした場合の説明図である。
【図８】人間の目をモチーフとした場合の説明図
【図９】従来の弾丸シールの例を示す平面図である。
【符号の説明】
１１  立体（３次元）シール
１３  シール部
１５  所定のモチーフの立体物が形成された凹凸部
１７  内張り
２１  フィルムもしくはシート
【図１】
2004354665.tif 000003
【図２】
2004354665.tif 000004
【図３】
2004354665.tif 000005
【図４】
2004354665.tif 000006
【図５】
2004354665.tif 000007
【図６】
2004354665.tif 000008
【図７】
2004354665.tif 000009
【図８】
2004354665.tif 000010
【図９】
2004354665.tif 000011